(57)【要約】      （修正有）【課題】ラチェットバックル底座の構造を提供する。【解決手段】ラチェット部１０と引っ張り部２０及び固定軸３０があり、ラチェット部の底座１１と引っ張り部との間において、連接棒４０により接続され、底座の両側にある辺壁１１１において、後方に一対の対応する貫通穴１１２が貫設され、上記貫通穴が固定軸の断面形状に合わせて設置され、固定軸が貫通穴を貫通して、適当な長さで、貫通穴の外まで突出し、また、固定軸が突出した両側端に欠け口３１が形成されるため、欠け口の隣にある部位により、欠け口を利用して湾曲して係止シート３２が形成され、固定軸が貫設されて、突出した側端に対してプレスする時、係止シートが底座の外壁面に向かって湾曲され、辺壁に抵当して、固定軸と底座が結合される。【選択図】図２
0003145815.tif 000002
【実用新案登録請求の範囲】
【請求項１】
ラチェット部と引っ張り部及び固定軸があり、ラチェット部の底座と引っ張り部との間において、連接棒により接続され、引っ張り部が、操作されると、ラチェット部のラチェットに係止されて回転され、これにより、連接棒が、一方向に転動し、連接棒に巻き付けられた帯が、相対的に緊密に締められ、引っ張り部に、更に、押し圧機能を有し、押し圧された後、引っ張り部が操作されるが、ラチェットを転動させず、引っ張り部が、折り畳まれることができ、
底座の両側にある辺壁において、後方に、一対の対応する貫通穴が貫設され、上記貫通穴が、固定軸の断面形状に合わせて設置され、固定軸が、貫通穴を貫通して、適当な長さで、貫通穴の外まで突出し、また、固定軸が突出した両側端に、欠け口が形成されるため、欠け口の隣にある部位により、欠け口を利用して、湾曲して係止シートが形成され、固定軸が貫設されて、突出した側端に対してプレスする時、係止シートが、底座の外壁面に向かって湾曲され、辺壁に抵当して、固定軸と底座が、結合される、ことを特徴とするラチェットバックル底座の構造。
【請求項２】
固定軸の断面が、貫通穴に合わせて、Ｕ形やＪ形或いは楕円形等の形状であることを特徴とする請求項１に記載のラチェットバックル底座の構造。
【請求項３】
固定軸が、中空部を有する柱体であることを特徴とする請求項２に記載のラチェットバックル底座の構造。
【請求項４】
固定軸に、一つや一つ以上の欠け口が設けられることを特徴とする請求項１に記載のラチェットバックル底座の構造。
【請求項５】
固定軸が、適当な厚さを有する板状であることを特徴とする請求項１に記載のラチェットバックル底座の構造。
【請求項６】
固定軸に、カーバがあることを特徴とする請求項５に記載のラチェットバックル底座の構造。
【考案の詳細な説明】
【技術分野】
【０００１】
本考案は、ラチェットバックル底座の構造に関し、特に、上記ラチェットバックルの固定軸が、プレスにより、底座に結合固定されるものに関する。
【背景技術】
【０００２】
トラックに荷物を荷積みした後、帯で、荷物を束縛して、走行中、荷物が落ちることを防止できるが、荷物を束縛する帯が、幅広くて堅いため、手で、結ぶことが難しく、また、安定的に荷物を束縛できないので、ラチェットバックルで、帯を緊張に固定することが必要である。従来のラチェットバックル構造は、図８のように、ラチェット部６０と引っ張り部７０があり、ラチェット部６０の底座６１と引っ張り部７０との間において、連接棒８０により接続され、引っ張り部７０が、操作されると、ラチェット部６０のラチェット６２に係止されて回転され、連接棒８０が、一方向に転動し、連接棒８０に巻き付けられた帯が、相対的に緊密に締められ、また、引っ張り部７０に、更に、押し圧機能があり、押し圧された後、引っ張り部７０が操作されるが、ラチェット６２を転動させず、引っ張り部７０が、折り畳まれることができ、ラチェット部６０の底座６１において、両側にある辺壁の後方に、ボルト６３を貫設してナット６４で締まることができる貫通穴が設けられ、ボルト６３に、ホックを有する延伸帶が嵌合され、帯が緊密に巻き締まられる前、予めに、上記延伸帶が、トラックに固定されることができる。しかしながら、上記の従来構造によれば、荷物を運搬する時、帯を緊密に巻き締まることができるが、次の問題点が残され、ボルト６３で、ナット６４に合わせて延伸帶を嵌合する使用態様が形成されるため、ナット６４が、容易に弛める恐れがあり、使用する時、相対的に安定性がない。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、その固定軸が、底座にプレス結合されるため、ナット等のコストを省略でき、また、プレス結合によるため、ボルトとナットとを組み立てることが必要しなく、有効にコストを制御できるラチェットバックル底座の構造を提供する。
【０００５】
本考案の他の目的は、固定軸が、プレスにより、確実に底座の両側にある辺壁に肯定されるため、使用する時、固定軸が弛める恐れがないラチェットバックル底座の構造を提供できる。
【課題を解決するための手段】
【０００６】
請求項１の考案は、ラチェット部と引っ張り部及び固定軸があり、ラチェット部の底座と引っ張り部との間において、連接棒により接続され、引っ張り部が、操作されると、ラチェット部のラチェットに係止されて回転され、これにより、連接棒が、一方向に転動し、連接棒に巻き付けられた帯が、相対的に緊密に締められ、引っ張り部に、更に、押し圧機能を有し、押し圧された後、引っ張り部が操作されるが、ラチェットを転動させず、引っ張り部が、折り畳まれることができ、底座の両側にある辺壁において、後方に、一対の対応する貫通穴が貫設され、上記貫通穴が、固定軸の断面形状に合わせて設置され、固定軸が、貫通穴を貫通して、適当な長さで、貫通穴の外まで突出し、また、固定軸が突出した両側端に、欠け口が形成されるため、欠け口の隣にある部位により、欠け口を利用して、湾曲して係止シートが形成され、固定軸が貫設されて、突出した側端に対してプレスする時、係止シートが、底座の外壁面に向かって湾曲され、辺壁に抵当して、固定軸と底座が、結合される、ことを特徴とするラチェットバックル底座の構造である。
【０００７】
請求項２の考案は、固定軸の断面が、貫通穴に合わせて、Ｕ形やＪ形或いは楕円形等の形状であることを特徴とする請求項１に記載のラチェットバックル底座の構造である。
【０００８】
請求項３の考案は、固定軸が、中空部を有する柱体であることを特徴とする請求項２に記載のラチェットバックル底座の構造である。
【０００９】
請求項４の考案は、固定軸に、一つや一つ以上の欠け口が設けられることを特徴とする請求項１に記載のラチェットバックル底座の構造である。
【００１０】
請求項５の考案は、固定軸が、適当な厚さを有する板状であることを特徴とする請求項１に記載のラチェットバックル底座の構造である。
【００１１】
請求項６の考案は、固定軸に、カーバがあることを特徴とする請求項５に記載のラチェットバックル底座の構造である。
【００１２】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１３】
図１と２のように、本考案は、ラチェット部１０と引っ張り部２０及び固定軸３０が含まれ、ラチェット部１０の底座１１と引っ張り部２０との間において、連接棒４０により接続され、引っ張り部２０が、操作されると、ラチェット部１０のラチェット１２に係止されて回転され、これにより、連接棒４０が、一方向に転動し、連接棒４０に巻き付けられた帯が、相対的に緊密に締まられ、引っ張り部２０に、更に、押し圧機能を有し、押し圧された後、引っ張り部２０が操作されると、ラチェット１２を転動させず、引っ張り部２０が、折り畳まれることができる。
【００１４】
底座１１の両側にある辺壁１１１において、後方に、一対の対応する貫通穴１１２が貫設され、上記貫通穴１１２が、固定軸３０断面形状に合わせて設置され、固定軸３０が、貫通穴１１２を貫通して、適当な長さで、貫通穴１１２の外まで突出し、また、固定軸３０が、中空の柱状であり、その突出した両側端に、一つや一つ以上の欠け口３１が形成され、欠け口３１の隣にある部位により、欠け口３１を利用して、湾曲して係止シート３２が形成され、固定軸３０が貫設されて、突出した側端に対してプレスする時、係止シート３２が、底座１１の外壁面に向かって湾曲され、辺壁１１１に抵当して、固定軸３０と底座１１が、結合される。
【００１５】
本考案によれば、底座１１の後方にある固定軸３０に、ホック５１を有する延伸帶５０が嵌合され（図３のように）、帯が緊密に巻き締まられる前、予めに、上記延伸帶５０が、トラックに固定されることができ、また、固定軸３０がプレスにより、確実に底座１１の両側にある辺壁１１１に固定されるため、使用する時、固定軸３０が弛める恐れがない。
【００１６】
また、固定軸３０の断面は、貫通穴１１２に合わせて、Ｕ形（図１乃至図３のように）やＪ形（図４のように）或いは楕円形（図５のように）等の形状であり、直接に、適当な厚さを有する板状でもよく（図６と７のように）、固定軸３０が板状である時、更に、カーバ３３が含まれ、これにより、延伸帶５０が、固定軸３０により切断されることを防止でき、また、板状である固定軸３０は、適当な厚さを有するため、中空柱状でなくても、係止シート３２が、プレスによりスムーズに湾曲される。
【００１７】
上記の具体的な実施例によれば、次の効果が得られ、１、その固定軸３０が、プレスにより、底座１１に結合されるため、ナットのコストを省略でき、また、プレス結合によるため、ボルトとナットを組み立てることが省略され、そのため、有効に、コストを制御でき、２、その固定軸３０が、プレスにより、確実に底座１１の両側にある辺壁１１１に固定されるため、使用する時、固定軸３０が弛める恐れがない。
【００１８】
そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の斜視組立て図
【図２】本考案の斜視分解図
【図３】本考案の使用状態図
【図４】本考案の他の実施例図
【図５】本考案の更に他の実施例図
【図６】本考案の更に他の実施例図
【図７】本考案の更に他の実施例の斜視分解図
【図８】従来の斜視外観図
【符号の説明】
【００２１】
１０    ラチェット部
１１    底座
１１１  辺壁
１１２  貫通穴
１２    ラチェット
２０    引っ張り部
３０    固定軸
３１    欠け口
３２    係止シート
３３    カーバ
４０    連接棒
５０    延伸帶
５１    ホック
従来
６０    ラチェット部
６１    底座
６２    ラチェット
６３    ボルト
６４    ナット
７０    引っ張り部
８０    連接棒
【図１】
0003145815.tif 000003
【図２】
0003145815.tif 000004
【図３】
0003145815.tif 000005
【図４】
0003145815.tif 000006
【図５】
0003145815.tif 000007
【図６】
0003145815.tif 000008
【図７】
0003145815.tif 000009
【図８】
0003145815.tif 000010